(57)【要約】【課題】  使用者が長時間座ったり寝ころんだりしても内部に湿気や熱がこもって不快感を感じることがなく、また、不要になった際の処分も簡単な敷物を提供する。【解決手段】  敷物Ｓは筵１０，１１を備えている。表面と裏面の筵１０，１１は、藺草が同じ方向に延びるよう設けている。筵１０，１１の間にはクッション材１２を備えている。クッション材１２は、藺草を直線状に延ばして筵１０，１１の幅と同じまたは略同じ長さを有するようにした茎材１２０・・・を集めて、所要の厚みを有するよう束ねている。藺草の長さ方向の両端側にあたる筵１０，１１の対向する縁部には縁布１３が設けてあり、筵１０，１１の残りの両端側にあたる縁部には縁布１４が設けている。縁布１３は、筵１０，１１及びクッション材１２も糸１５により縫い合わせて設けている。【選択図】        図１
2006095086.tif 000002
【特許請求の範囲】
【請求項１】
表面と裏面に設けている藺草製の筵と、
上記筵の間に挟んでいるクッション材と、
表面と裏面の筵の縁を縫い合わせて設けている柔軟性を有する縁部材と、
を備えており、
上記クッション材は藺草の茎を集めて構成してあることを特徴とする、
敷物。
【請求項２】
表面と裏面の筵は藺草が同じまたは実質的に同じ方向となるよう設けてあり、クッション材は所要の長さを有する藺草の茎を筵の藺草と同じまたは実質的に同じ方向に設けて、両端が縁部材を取り付ける糸状体により筵に縫い付けていることを特徴とする、
請求項１記載の敷物。
【発明の詳細な説明】
【技術分野】
【０００１】
本発明は、寝ござ等として使用されるクッション性を有する藺草製の敷物に関する。更に詳しくは、その上に使用者が長時間座ったり寝ころんだりしても内部に湿気や熱がこもって不快感を感じることがなく、また、不要になった際の処分も簡単な敷物に関する。
【背景技術】
【０００２】
寝ござには、畳表を使用した筵の裏面に緩衝材のシート等を貼り付けてクッション性を有するようにしたものがある。このような寝ござの一例として、特許文献１には、表面が畳表、裏面が中綿と布帛を一体にキルティング縫合した敷パットで構成され、畳表と敷パットを貼り合わせた寝ござが開示されている。
【０００３】
【特許文献１】特開平９−２２０１４０号公報
【発明の開示】
【発明が解決しようとする課題】
【０００４】
しかし、特許文献１に開示してある寝ござには、次のような課題があった。
まず、中綿が合成樹脂繊維を樹脂加工にて硬めたものであるため、空気の流通性が十分でない。そのため長時間座ったり寝ころんだりした場合では、内部に湿気や熱がこもってしまい不快感を感じる。
【０００５】
また、上記した寝ござは畳表と敷パットが貼り合わせてあるので、材料ごとの分別が容易でなく、このため不要になった際の処分が簡単でない。
【０００６】
本発明の目的は、使用者が長時間座ったり寝ころんだりしても内部に湿気や熱がこもって不快感を感じることがなく、また、不要になった際の処分も簡単な藺草敷物を提供することにある。
【課題を解決するための手段】
【０００７】
上記目的を達成するために本発明が講じた手段は次のとおりである。
第１の発明にあっては、
表面と裏面に設けている藺草製の筵と、
上記筵の間に挟んでいるクッション材と、
表面と裏面の筵の縁を縫い合わせて設けている柔軟性を有する縁部材と、
を備えており、
上記クッション材は藺草の茎を集めて構成してあることを特徴とする、
敷物である。
【０００８】
第２の発明にあっては、
表面と裏面の筵は藺草が同じまたは実質的に同じ方向となるよう設けてあり、クッション材は所要の長さを有する藺草の茎を筵の藺草と同じまたは実質的に同じ方向に設けて、両端が縁部材を取り付ける糸状体により筵に縫い付けていることを特徴とする、
第１の発明に係る敷物である。
【０００９】
本発明でいう「敷物」は、例えば、茣蓙、座布団、マット等も含む概念として使用している。
【００１０】
（作  用）
本発明に係る敷物は、クッション材が藺草の茎を集めて構成してあり、茎には内部に空気が流通可能な空洞部があるので、例えば、座ったり退いたりすることにより茎が変形し、空気を吸排出して内部の空気が入れ替わる。
【００１１】
表面と裏面の筵は藺草が同じまたは実質的に同じ方向となるよう設けてあり、クッション材は所要の長さを有する藺草の茎を筵の藺草と同じまたは実質的に同じ方向に設けて、両端が縁部材を取り付ける糸状体により筵に縫い付けているものは、敷物上に座ったり寝ころんだりした場合、クッション材には上方から力がかかり潰れたように厚みが変形し横に拡がった状態になるが、このように外部から力を受けても筵内部で移動せず偏ったりしない。
【００１２】
また、表面と裏面の筵は藺草が同じまたは実質的に同じ方向となるようしてあり、クッション材も藺草の茎を筵の藺草と同じ方向にしているので、敷物は折り畳んだり丸めたりすることが可能で、簡単にコンパクトな状態にして収納したり持ち運んだりできる。
【発明の効果】
【００１３】
本発明は上記構成を備え、次の効果を有する。
（ａ）本発明に係る敷物は、クッション材が藺草の茎を集めて構成してあり、茎には内部に空気が流通可能な空洞部があるので、例えば、座ったり退いたりすることにより茎が変形し、空気を吸排出して内部の空気が入れ替わる。従って、長時間座ったり寝ころんだりしている場合でもクッション材の内部に湿気や熱がこもらず不快感を感じない。
【００１４】
（ｂ）敷物は、筵とクッション材が藺草で形成しているので、廃棄する際に材質ごとに分別したりする必要がなく、不要になった際の処分が簡単である。
【００１５】
（ｃ）表面と裏面の筵は藺草が同じまたは実質的に同じ方向となるよう設けてあり、クッション材は所要の長さを有する藺草の茎を筵の藺草と同じまたは実質的に同じ方向に設けて、両端が縁部材を取り付ける糸状体により筵に縫い付けているものは、敷物上に座ったり寝ころんだりした場合、クッション材には上方から力がかかり潰れたように厚みが変形し横に拡がった状態になるが、このように外部から力を受けても筵内部で移動せず偏ったりしない。
【００１６】
（ｄ）表面と裏面の筵は藺草が同じまたは実質的に同じ方向となるようしてあり、クッション材も藺草の茎を筵の藺草と同じまたは実質的に同じ方向にしているので、敷物は折り畳んだり丸めたりすることが可能で、簡単にコンパクトな状態にして収納したり持ち運んだりできる。
【発明を実施するための最良の形態】
【００１７】
本発明の実施の形態を図面に基づき更に詳細に説明する。
図１は本発明に係る敷物の一実施の形態を示す斜視説明図、
図２は図１に示す敷物のＡ−Ａ断面図、
図３は図１に示す敷物のＢ−Ｂ断面図、
図４は図２の一端側を示す拡大断面図、
図５は図３の一端側を示す拡大断面図である。
【００１８】
符号Ｓは敷物を示している。敷物Ｓの表面と裏面には、藺草を緯糸として編んだ筵（畳表）１０，１１を備えている。本実施の形態で示す筵１０，１１は、平面視において藺草の茎が幅方向に延びる長方形状に形成している。表面と裏面の筵１０，１１は、藺草が同じまたは略同じ方向に延びるよう設けている。
【００１９】
筵１０，１１の間にはクッション材１２を備えている。クッション材１２は、藺草を直線状に延ばして筵１０，１１の幅と同じまたは略同じ長さを有するようにした茎材１２０・・・を集めて、所要の厚みを有するよう束ねている。詳しくはクッション材１２は、茎材１２０・・・を並行に並べ、長さ方向の両端をそれぞれ糸（図示省略）で縫うことで輪状にし、潰して重ねた状態で筵１０，１１と略同じ長さを有するよう形成している。
【００２０】
藺草の長さ方向の両端側にあたる筵１０，１１の対向する縁部には、柔軟性を有する縁部材である縁布１３が設けている。また、筵１０，１１の残りの両端側にあたる縁部には、柔軟性を有する縁部材である縁布１４が設けている。このうち縁布１３は、表面と裏面の筵１０，１１及びそれらの間に挟んだクッション材１２も糸状体である糸１５により縫い合わせて設けている。縁布１３，１４は補強のために糸１５を二箇所に設けて縫い付けている。
【００２１】
（作  用）
図１ないし図５を参照して本実施の形態で示す敷物Ｓの作用を説明する。
敷物Ｓは、クッション材１２が所要の厚みを有するよう藺草の茎材１２０・・・を集めて形成してあり、茎材１２０には内部に空気が流通可能な空洞部があるので、例えば、座ったり退いたりすることにより茎材１２０が変形し、空気を吸排出して内部の空気が入れ替わる。従って、長時間座ったり寝ころんだりしている場合でもクッション材１２の内部に湿気や熱がこもらず不快感を感じない。
【００２２】
敷物Ｓ上に座ったり寝ころんだりした場合、クッション材１２には上方から力がかかり潰れたように厚みが変形し横に拡がった状態になる。しかし、クッション材１２は両端が縁布１３によって固定してあるので、このように外部から力を受けても筵１０，１１内部で移動せず偏ったりしない。
【００２３】
敷物Ｓは、表面と裏面の筵１０，１１について藺草の延びる方向を同じまたは略同じ方向にし、また、内部のクッション材１２についても、藺草が筵１０，１１の藺草と同じまたは略同じ長さを有するように設けたので、折り畳んだり丸めたりすることが可能で、簡単にコンパクトな状態にして収納したり持ち運んだりできる。
【００２４】
敷物Ｓは、表面と裏面の筵１０，１１及びクッション材１２が藺草で形成してあるので、廃棄する際に材質ごとに分別したりする必要がなく、不要になった際の処分が簡単である。
【００２５】
本実施の形態で敷物Ｓは単体の状態のものを示したが、これは限定するものではなく、例えば、敷物Ｓは複数枚繋げて面積を拡げた状態で使用することもできる。
【００２６】
本実施の形態でクッション材は、筵の幅と同じまたは略同じ長さを有する茎材を使用したが、これは限定するものではなく、仕切等を設けることで筵の間で移動して偏ったりしないようにしてあれば、例えば、クッション材は、茎材を短く切断したものを集めて形成したものを使用することもできる。
【００２７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００２８】
【図１】本発明に係る敷物の一実施の形態を示す斜視説明図。
【図２】図１に示す敷物のＡ−Ａ断面図。
【図３】図１に示す敷物のＢ−Ｂ断面図。
【図４】図２の一端側を示す拡大断面図。
【図５】図３の一端側を示す拡大断面図。
【符号の説明】
【００２９】
Ｓ  敷物
１０  筵
１１  筵
１２  クッション材
１２０  茎材
１３  縁布
１４  縁布
１５  糸
【図１】
2006095086.tif 000003
【図２】
2006095086.tif 000004
【図３】
2006095086.tif 000005
【図４】
2006095086.tif 000006
【図５】
2006095086.tif 000007
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
クッション材として藺草の茎を使用しており、丸めることができる敷物であって、
表面と裏面に設けている藺草製の筵と、
上記筵の間に挟んであり、藺草の茎を集めて構成しているクッション材と、
表面と裏面の筵の縁を縫い合わせて設けている柔軟性を有する縁部材と、
を備えており、
表面と裏面の筵は、藺草が同じまたは実質的に同じ方向となるよう設けてあり、クッション材は所要の長さを有する藺草の茎を筵の藺草と同じまたは実質的に同じ方向に設けて、両端が縁部材を取り付ける糸状体により筵に縫い付けていることを特徴とする、
敷物。
【手続補正２】
【補正対象書類名】明細書
【補正対象項目名】全文
【補正方法】変更
【補正の内容】
【発明の詳細な説明】
【技術分野】
【０００１】
本発明は、寝ござ等として使用されるクッション性を有する藺草製の敷物に関する。更に詳しくは、その上に使用者が長時間座ったり寝ころんだりしても内部に湿気や熱がこもって不快感を感じることがなく、また、不要になった際の処分も簡単な敷物に関する。
【背景技術】
【０００２】
寝ござには、畳表を使用した筵の裏面に緩衝材のシート等を貼り付けてクッション性を有するようにしたものがある。このような寝ござの一例として、特許文献１には、表面が畳表、裏面が中綿と布帛を一体にキルティング縫合した敷パットで構成され、畳表と敷パットを貼り合わせた寝ござが開示されている。
【０００３】
【特許文献１】特開平９−２２０１４０号公報
【発明の開示】
【発明が解決しようとする課題】
【０００４】
しかし、特許文献１に開示してある寝ござには、次のような課題があった。
まず、中綿が合成樹脂繊維を樹脂加工にて硬めたものであるため、空気の流通性が十分でない。そのため長時間座ったり寝ころんだりした場合では、内部に湿気や熱がこもってしまい不快感を感じる。
【０００５】
また、上記した寝ござは畳表と敷パットが貼り合わせてあるので、材料ごとの分別が容易でなく、このため不要になった際の処分が簡単でない。
【０００６】
本発明の目的は、使用者が長時間座ったり寝ころんだりしても内部に湿気や熱がこもって不快感を感じることがなく、また、不要になった際の処分も簡単な藺草敷物を提供することにある。
【課題を解決するための手段】
【０００７】
上記目的を達成するために本発明が講じた手段は次のとおりである。
第１の発明にあっては、
クッション材として藺草の茎を使用しており、丸めることができる敷物であって、
表面と裏面に設けている藺草製の筵と、
上記筵の間に挟んであり、藺草の茎を集めて構成しているクッション材と、
表面と裏面の筵の縁を縫い合わせて設けている柔軟性を有する縁部材と、
を備えており、
表面と裏面の筵は、藺草が同じまたは実質的に同じ方向となるよう設けてあり、クッション材は所要の長さを有する藺草の茎を筵の藺草と同じまたは実質的に同じ方向に設けて、両端が縁部材を取り付ける糸状体により筵に縫い付けていることを特徴とする、
敷物である。
【０００８】
本発明でいう「敷物」は、例えば、茣蓙、座布団、マット等も含む概念として使用している。
【０００９】
（作  用）
本発明に係る敷物は、クッション材が藺草の茎を集めて構成してあり、茎には内部に空気が流通可能な空洞部があるので、例えば、座ったり退いたりすることにより茎が変形し、空気を吸排出して内部の空気が入れ替わる。
【００１０】
表面と裏面の筵は藺草が同じまたは実質的に同じ方向となるよう設けてあり、クッション材は所要の長さを有する藺草の茎を筵の藺草と同じまたは実質的に同じ方向に設けて、両端が縁部材を取り付ける糸状体により筵に縫い付けてあるので、敷物上に座ったり寝ころんだりした場合、クッション材には上方から力がかかり潰れたように厚みが変形し横に拡がった状態になるが、このように外部から力を受けても筵内部で移動せず偏ったりしない。
【００１１】
また、表面と裏面の筵は藺草が同じまたは実質的に同じ方向となるようしてあり、クッション材も藺草の茎を筵の藺草と同じ方向にしているので、敷物は丸めることが可能で、簡単にコンパクトな状態にして収納したり持ち運んだりできる。
【発明の効果】
【００１２】
本発明は上記構成を備え、次の効果を有する。
（ａ）本発明に係る敷物は、クッション材が藺草の茎を集めて構成してあり、茎には内部に空気が流通可能な空洞部があるので、例えば、座ったり退いたりすることにより茎が変形し、空気を吸排出して内部の空気が入れ替わる。従って、長時間座ったり寝ころんだりしている場合でもクッション材の内部に湿気や熱がこもらず不快感を感じない。
【００１３】
（ｂ）敷物は、筵とクッション材が藺草で形成しているので、廃棄する際に材質ごとに分別したりする必要がなく、不要になった際の処分が簡単である。
【００１４】
（ｃ）表面と裏面の筵は藺草が同じまたは実質的に同じ方向となるよう設けてあり、クッション材は所要の長さを有する藺草の茎を筵の藺草と同じまたは実質的に同じ方向に設けて、両端が縁部材を取り付ける糸状体により筵に縫い付けてあるので、敷物上に座ったり寝ころんだりした場合、クッション材には上方から力がかかり潰れたように厚みが変形し横に拡がった状態になるが、このように外部から力を受けても筵内部で移動せず偏ったりしない。
【００１５】
（ｄ）表面と裏面の筵は藺草が同じまたは実質的に同じ方向となるようしてあり、クッション材も藺草の茎を筵の藺草と同じまたは実質的に同じ方向にしているので、敷物は丸めることが可能で、簡単にコンパクトな状態にして収納したり持ち運んだりできる。
【発明を実施するための最良の形態】
【００１６】
本発明の実施の形態を図面に基づき更に詳細に説明する。
図１は本発明に係る敷物の一実施の形態を示す斜視説明図、
図２は図１に示す敷物のＡ−Ａ断面図、
図３は図１に示す敷物のＢ−Ｂ断面図、
図４は図２の一端側を示す拡大断面図、
図５は図３の一端側を示す拡大断面図である。
【００１７】
符号Ｓは敷物を示している。敷物Ｓの表面と裏面には、藺草を緯糸として編んだ筵（畳表）１０，１１を備えている。本実施の形態で示す筵１０，１１は、平面視において藺草の茎が幅方向に延びる長方形状に形成している。表面と裏面の筵１０，１１は、藺草が同じまたは略同じ方向に延びるよう設けている。
【００１８】
筵１０，１１の間にはクッション材１２を備えている。クッション材１２は、藺草を直線状に延ばして筵１０，１１の幅と同じまたは略同じ長さを有するようにした茎材１２０・・・を集めて、所要の厚みを有するよう束ねている。詳しくはクッション材１２は、茎材１２０・・・を並行に並べ、長さ方向の両端をそれぞれ糸（図示省略）で縫うことで輪状にし、潰して重ねた状態で筵１０，１１と略同じ長さを有するよう形成している。
【００１９】
藺草の長さ方向の両端側にあたる筵１０，１１の対向する縁部には、柔軟性を有する縁部材である縁布１３が設けている。また、筵１０，１１の残りの両端側にあたる縁部には、柔軟性を有する縁部材である縁布１４が設けている。このうち縁布１３は、表面と裏面の筵１０，１１及びそれらの間に挟んだクッション材１２も糸状体である糸１５により縫い合わせて設けている。縁布１３，１４は補強のために糸１５を二箇所に設けて縫い付けている。
【００２０】
（作  用）
図１ないし図５を参照して本実施の形態で示す敷物Ｓの作用を説明する。
敷物Ｓは、クッション材１２が所要の厚みを有するよう藺草の茎材１２０・・・を集めて形成してあり、茎材１２０には内部に空気が流通可能な空洞部があるので、例えば、座ったり退いたりすることにより茎材１２０が変形し、空気を吸排出して内部の空気が入れ替わる。従って、長時間座ったり寝ころんだりしている場合でもクッション材１２の内部に湿気や熱がこもらず不快感を感じない。
【００２１】
敷物Ｓ上に座ったり寝ころんだりした場合、クッション材１２には上方から力がかかり潰れたように厚みが変形し横に拡がった状態になる。しかし、クッション材１２は両端が縁布１３によって固定してあるので、このように外部から力を受けても筵１０，１１内部で移動せず偏ったりしない。
【００２２】
敷物Ｓは、表面と裏面の筵１０，１１について藺草の延びる方向を同じまたは略同じ方向にし、また、内部のクッション材１２についても、藺草が筵１０，１１の藺草と同じまたは略同じ長さを有するように設けたので、折り畳んだり丸めたりすることが可能で、簡単にコンパクトな状態にして収納したり持ち運んだりできる。
【００２３】
敷物Ｓは、表面と裏面の筵１０，１１及びクッション材１２が藺草で形成してあるので、廃棄する際に材質ごとに分別したりする必要がなく、不要になった際の処分が簡単である。
【００２４】
本実施の形態で敷物Ｓは単体の状態のものを示したが、これは限定するものではなく、例えば、敷物Ｓは複数枚繋げて面積を拡げた状態で使用することもできる。
【００２５】
本実施の形態でクッション材は、筵の幅と同じまたは略同じ長さを有する茎材を使用したが、これは限定するものではなく、仕切等を設けることで筵の間で移動して偏ったりしないようにしてあれば、例えば、クッション材は、茎材を短く切断したものを集めて形成したものを使用することもできる。
【００２６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００２７】
【図１】本発明に係る敷物の一実施の形態を示す斜視説明図。
【図２】図１に示す敷物のＡ−Ａ断面図。
【図３】図１に示す敷物のＢ−Ｂ断面図。
【図４】図２の一端側を示す拡大断面図。
【図５】図３の一端側を示す拡大断面図。
【符号の説明】
【００２８】
Ｓ  敷物
１０  筵
１１  筵
１２  クッション材
１２０  茎材
１３  縁布
１４  縁布
１５  糸
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
クッション材として藺草の茎を使用しており、丸めることができる敷物であって、
表面と裏面に設けている藺草製の筵と、
上記筵の間に挟んであり、藺草の茎を集めて構成しているクッション材と、
表面と裏面の筵の縁を縫い合わせて設けている柔軟性を有する縁部材と、
を備えており、
表面と裏面の筵は、藺草が同じまたは実質的に同じ方向となるよう設けてあり、
クッション材は、筵の幅と同じまたは略同じ長さを有するようにした藺草の茎を並行に並べ、長さ方向の両端をそれぞれ糸で縫うことで輪状にして重ねた状態にし、茎を筵の藺草と同じまたは実質的に同じ方向になるよう設けて、両端が縁部材を取り付ける糸状体により筵に縫い付けられていることを特徴とする、
敷物。
【手続補正２】
【補正対象書類名】明細書
【補正対象項目名】全文
【補正方法】変更
【補正の内容】
【発明の詳細な説明】
【技術分野】
【０００１】
本発明は、寝ござ等として使用されるクッション性を有する藺草製の敷物に関する。更に詳しくは、その上に使用者が長時間座ったり寝ころんだりしても内部に湿気や熱がこもって不快感を感じることがなく、また、不要になった際の処分も簡単な敷物に関する。
【背景技術】
【０００２】
寝ござには、畳表を使用した筵の裏面に緩衝材のシート等を貼り付けてクッション性を有するようにしたものがある。このような寝ござの一例として、特許文献１には、表面が畳表、裏面が中綿と布帛を一体にキルティング縫合した敷パットで構成され、畳表と敷パットを貼り合わせた寝ござが開示されている。
【０００３】
【特許文献１】特開平９−２２０１４０号公報
【発明の開示】
【発明が解決しようとする課題】
【０００４】
しかし、特許文献１に開示してある寝ござには、次のような課題があった。
まず、中綿が合成樹脂繊維を樹脂加工にて硬めたものであるため、空気の流通性が十分でない。そのため長時間座ったり寝ころんだりした場合では、内部に湿気や熱がこもってしまい不快感を感じる。
【０００５】
また、上記した寝ござは畳表と敷パットが貼り合わせてあるので、材料ごとの分別が容易でなく、このため不要になった際の処分が簡単でない。
【０００６】
本発明の目的は、使用者が長時間座ったり寝ころんだりしても内部に湿気や熱がこもって不快感を感じることがなく、また、不要になった際の処分も簡単な藺草敷物を提供することにある。
【課題を解決するための手段】
【０００７】
上記目的を達成するために本発明が講じた手段は次のとおりである。
第１の発明にあっては、
クッション材として藺草の茎を使用しており、丸めることができる敷物であって、
表面と裏面に設けている藺草製の筵と、
上記筵の間に挟んであり、藺草の茎を集めて構成しているクッション材と、
表面と裏面の筵の縁を縫い合わせて設けている柔軟性を有する縁部材と、
を備えており、
表面と裏面の筵は、藺草が同じまたは実質的に同じ方向となるよう設けてあり、
クッション材は、筵の幅と同じまたは略同じ長さを有するようにした藺草の茎を並行に並べ、長さ方向の両端をそれぞれ糸で縫うことで輪状にして重ねた状態にし、茎を筵の藺草と同じまたは実質的に同じ方向になるよう設けて、両端が縁部材を取り付ける糸状体により筵に縫い付けられていることを特徴とする、
敷物である。
【０００８】
本発明でいう「敷物」は、例えば、茣蓙、座布団、マット等も含む概念として使用している。
【０００９】
（作  用）
本発明に係る敷物は、クッション材が藺草の茎を集めて構成してあり、茎には内部に空気が流通可能な空洞部があるので、例えば、座ったり退いたりすることにより茎が変形し、空気を吸排出して内部の空気が入れ替わる。
【００１０】
表面と裏面の筵は藺草が同じまたは実質的に同じ方向となるよう設けてあり、クッション材は、筵の幅と同じまたは略同じ長さを有するようにした藺草の茎を並行に並べ、長さ方向の両端をそれぞれ糸で縫うことで輪状にして重ねた状態にし、茎を筵の藺草と同じまたは実質的に同じ方向になるよう設けて、両端が縁部材を取り付ける糸状体により筵に縫い付けられているので、敷物上に座ったり寝ころんだりした場合、クッション材には上方から力がかかり潰れたように厚みが変形し横に拡がった状態になるが、このように外部から力を受けても筵内部で移動せず偏ったりしない。
【００１１】
また、表面と裏面の筵は藺草が同じまたは実質的に同じ方向となるようしてあり、クッション材も藺草の茎を筵の藺草と同じ方向にしているので、敷物は丸めることが可能で、簡単にコンパクトな状態にして収納したり持ち運んだりできる。
【発明の効果】
【００１２】
本発明は上記構成を備え、次の効果を有する。
（ａ）本発明に係る敷物は、クッション材が藺草の茎を集めて構成してあり、茎には内部に空気が流通可能な空洞部があるので、例えば、座ったり退いたりすることにより茎が変形し、空気を吸排出して内部の空気が入れ替わる。従って、長時間座ったり寝ころんだりしている場合でもクッション材の内部に湿気や熱がこもらず不快感を感じない。
【００１３】
（ｂ）敷物は、筵とクッション材が藺草で形成しているので、廃棄する際に材質ごとに分別したりする必要がなく、不要になった際の処分が簡単である。
【００１４】
（ｃ）表面と裏面の筵は藺草が同じまたは実質的に同じ方向となるよう設けてあり、クッション材は、筵の幅と同じまたは略同じ長さを有するようにした藺草の茎を並行に並べ、長さ方向の両端をそれぞれ糸で縫うことで輪状にして重ねた状態にし、茎を筵の藺草と同じまたは実質的に同じ方向になるよう設けて、両端が縁部材を取り付ける糸状体により筵に縫い付けられているので、敷物上に座ったり寝ころんだりした場合、クッション材には上方から力がかかり潰れたように厚みが変形し横に拡がった状態になるが、このように外部から力を受けても筵内部で移動せず偏ったりしない。
【００１５】
（ｄ）表面と裏面の筵は藺草が同じまたは実質的に同じ方向となるようしてあり、クッション材も藺草の茎を筵の藺草と同じまたは実質的に同じ方向にしているので、敷物は丸めることが可能で、簡単にコンパクトな状態にして収納したり持ち運んだりできる。
【発明を実施するための最良の形態】
【００１６】
本発明の実施の形態を図面に基づき更に詳細に説明する。
図１は本発明に係る敷物の一実施の形態を示す斜視説明図、
図２は図１に示す敷物のＡ−Ａ断面図、
図３は図１に示す敷物のＢ−Ｂ断面図、
図４は図２の一端側を示す拡大断面図、
図５は図３の一端側を示す拡大断面図である。
【００１７】
符号Ｓは敷物を示している。敷物Ｓの表面と裏面には、藺草を緯糸として編んだ筵（畳表）１０，１１を備えている。本実施の形態で示す筵１０，１１は、平面視において藺草の茎が幅方向に延びる長方形状に形成している。表面と裏面の筵１０，１１は、藺草が同じまたは略同じ方向に延びるよう設けている。
【００１８】
筵１０，１１の間にはクッション材１２を備えている。クッション材１２は、藺草を直線状に延ばして筵１０，１１の幅と同じまたは略同じ長さを有するようにした茎材１２０・・・を集めて、所要の厚みを有するよう束ねている。詳しくはクッション材１２は、茎材１２０・・・を並行に並べ、長さ方向の両端をそれぞれ糸（図示省略）で縫うことで輪状にし、潰して重ねた状態で筵１０，１１と略同じ長さを有するよう形成している。
【００１９】
藺草の長さ方向の両端側にあたる筵１０，１１の対向する縁部には、柔軟性を有する縁部材である縁布１３が設けている。また、筵１０，１１の残りの両端側にあたる縁部には、柔軟性を有する縁部材である縁布１４が設けている。このうち縁布１３は、表面と裏面の筵１０，１１及びそれらの間に挟んだクッション材１２も糸状体である糸１５により縫い合わせて設けている。縁布１３，１４は補強のために糸１５を二箇所に設けて縫い付けている。
【００２０】
（作  用）
図１ないし図５を参照して本実施の形態で示す敷物Ｓの作用を説明する。
敷物Ｓは、クッション材１２が所要の厚みを有するよう藺草の茎材１２０・・・を集めて形成してあり、茎材１２０には内部に空気が流通可能な空洞部があるので、例えば、座ったり退いたりすることにより茎材１２０が変形し、空気を吸排出して内部の空気が入れ替わる。従って、長時間座ったり寝ころんだりしている場合でもクッション材１２の内部に湿気や熱がこもらず不快感を感じない。
【００２１】
敷物Ｓ上に座ったり寝ころんだりした場合、クッション材１２には上方から力がかかり潰れたように厚みが変形し横に拡がった状態になる。しかし、クッション材１２は両端が縁布１３によって固定してあるので、このように外部から力を受けても筵１０，１１内部で移動せず偏ったりしない。
【００２２】
敷物Ｓは、表面と裏面の筵１０，１１について藺草の延びる方向を同じまたは略同じ方向にし、また、内部のクッション材１２についても、藺草が筵１０，１１の藺草と同じまたは略同じ長さを有するように設けたので、折り畳んだり丸めたりすることが可能で、簡単にコンパクトな状態にして収納したり持ち運んだりできる。
【００２３】
敷物Ｓは、表面と裏面の筵１０，１１及びクッション材１２が藺草で形成してあるので、廃棄する際に材質ごとに分別したりする必要がなく、不要になった際の処分が簡単である。
【００２４】
本実施の形態で敷物Ｓは単体の状態のものを示したが、これは限定するものではなく、例えば、敷物Ｓは複数枚繋げて面積を拡げた状態で使用することもできる。
【００２５】
本実施の形態でクッション材は、筵の幅と同じまたは略同じ長さを有する茎材を使用したが、これは限定するものではなく、仕切等を設けることで筵の間で移動して偏ったりしないようにしてあれば、例えば、クッション材は、茎材を短く切断したものを集めて形成したものを使用することもできる。
【００２６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００２７】
【図１】本発明に係る敷物の一実施の形態を示す斜視説明図。
【図２】図１に示す敷物のＡ−Ａ断面図。
【図３】図１に示す敷物のＢ−Ｂ断面図。
【図４】図２の一端側を示す拡大断面図。
【図５】図３の一端側を示す拡大断面図。
【符号の説明】
【００２８】
Ｓ  敷物
１０  筵
１１  筵
１２  クッション材
１２０  茎材
１３  縁布
１４  縁布
１５  糸